(57)【要約】【課題】  本発明は、万一取扱店が取扱店控票を取出し忘れても、配送業者が売上票を抜き取る段階で前記取扱店控票も取出される構造の配送伝票の提供を目的とする。【解決手段】  貼付票（１１）と配送票（１３）からなる配送伝票本体の上に少なくとも前記取扱店用の控えとなる取扱店控票（３１）と、配送業者の控えとなる売上票（３２）が順次され各帳票の一端部が一条の第１の接着剤層（４１、４２、４３、４４）を介して綴じ込まれ、前記第１の接着剤層（４１、４２、４３、４４）に沿って形成された第１の切取りミシン目（７１）により切取り可能にした配送伝票において、前記取扱店控票に前記第１の切取りミシン目（７１）と別の第２の切取りミシン目（７２）を設け、前記第１の切取りミシン目（７１）と前記第２の切取りミシン目（７２）の間に第２の接着剤層（５）を設けることによって上記の課題を解決する。【選択図】  図１
2005088378.tif 000002
【特許請求の範囲】
【請求項１】
配送物を依頼者から預かり配送業者に取り次ぐ配送物取扱店用の配送伝票であって、当該配送伝票は、少なくとも貼付票と配送票からなる配送伝票本体の上に少なくとも前記取扱店用の控えとなる取扱店控票と、配送業者の控えとなる売上票が順次され各帳票の一端部が一条の第１の接着剤層を介して綴じ込まれ、前記第１の接着剤層に沿って形成された第１の切取りミシン目により切取り可能にした配送伝票において、前記取扱店控票に前記第１の切取りミシン目と別の第２の切取りミシン目を設け、前記第１の切取りミシン目と前記第２の切取りミシン目の間に第２の接着剤層を設けたことを特徴とする配送伝票。
【発明の詳細な説明】
【技術分野】
【０００１】
本発明は、配送物に貼付して用いる複写式の配送伝票に関し、特に配送物を依頼者から預かり配送業者に取り次ぐ配送物取扱店用の配送伝票に関する。
【背景技術】
【０００２】
配送物を依頼者から預かり配送業者に取り次ぐ配送物取扱店用の配送伝票は、貼付票、お届け先控票、配送票などからなる配送伝票本体の上に少なくとも前記取扱店用の控えとなる取扱店控票と、配送業者の控えとなる売上票などの各帳票の一端部が一条の接着剤層を介して綴じ込まれ、前記接着剤層に沿って該一端部と反対側に形成された切取りミシン目により切取り可能になっている。
【０００３】
従来の取扱店控票付きの配送伝票は、単純に一条の接着剤層と切取りミシン目により各帳票を綴じこんでいる。そして、各帳票を引っ張ることで各帳票毎に独立して抜き取ることが可能である。
【特許文献１】特開特開平９−５２４７３号公報  特許文献１には袋状の配送伝票本体の上に控え用帳票を綴じた形態の配送伝票が開示されている。
【発明の開示】
【発明が解決しようとする課題】
【０００４】
従来の取扱店控票付きの配送伝票は、単純に一条の接着剤層と切取りミシン目により各帳票を綴じこんでおり、各帳票を独立して抜き取ることが可能であるため、万が一配送物取扱店において取扱店控票を抜き取り忘れると、次に配送業者が売上票を抜き取っても売上票のみが取出され、前記取扱店控票は配送伝票にそのまま残った状態となる。配送業者が残存する取扱店控票を抜き取り廃棄すれば問題ないが、通常の運用と異なるので一般的には処分されることなく取扱店控票は配送伝票にそのまま残った状態である。取扱店控票は貼付票の中に収納されるものではなく簡単に脱落する虞があり、この状態で配送作業が行われると取扱店控票が道端に脱落して取扱店控票に記入された個人情報が漏洩するという課題がある。
【０００５】
そこで本発明は、万一取扱店が取扱店控票を取出し忘れても、配送業者が売上票を抜き取る段階で前記取扱店控票も取出される構造の配送伝票の提供を目的とする。
【課題を解決するための手段】
【０００６】
本発明は、以下に記載する手段により上記の課題を解決するものである。
【０００７】
配送物を依頼者から預かり配送業者に取り次ぐ配送物取扱店用の配送伝票であって、当該配送伝票は、少なくとも貼付票（１１）と配送票（１３）からなる配送伝票本体の上に少なくとも前記取扱店用の控えとなる取扱店控票（３１）と、配送業者の控えとなる売上票（３２）が順次され各帳票の一端部が一条の第１の接着剤層（４１、４２、４３、４４）を介して綴じ込まれ、前記第１の接着剤層（４１、４２、４３、４４）に沿って形成された第１の切取りミシン目（７１）により切取り可能にした配送伝票において、前記取扱店控票に前記第１の切取りミシン目（７１）と別の第２の切取りミシン目（７２）を設け、前記第１の切取りミシン目（７１）と前記第２の切取りミシン目（７２）の間に第２の接着剤層（５）を設けたことを特徴とする配送伝票。
【発明の効果】
【０００８】
本発明によれば、取扱店控票と売上票とが第２の接着剤層を介して繋がっているので、万が一配送物取扱店において取扱店控票を抜き取り忘れても、配送業者が売上票を抜き取る際に取扱店控票も一緒に抜き取られるので、配送物にそのまま取扱店控票が残ることがなく、取扱店控票に記入された個人情報の漏洩が防止できるという効果がある。
【発明を実施するための最良の形態】
【０００９】
以下、本発明の実施の形態について図面を参照して説明する。
【００１０】
図１は本発明による配送伝票の構造を模式的に示す図である。図２は本発明による配送伝票を示す平面図、図３は図２のＸ−Ｘ´矢視断面図である。  図中、１は配送伝票、３１は取扱店控票、３２は売上票、１１は貼付票、１３は配送票、２０はタック紙である。タック紙２０は、タック基材２１、粘着剤層２２、剥離紙２３からなり、配送物に配送伝票を貼る際に前記剥離紙２３を剥がし、粘着剤層２２を介して剥離困難に貼り付ける機能を有する。  本発明の配送伝票１は、貼付票１１、配送票１３、必要に応じてお届け先控票、タック紙２０とが袋状に形成された配送伝票本体の状部に、取扱店控票３１、売上票３２の一端部を綴じ込んだものである。
【００１１】
図示はしていないが、取扱店控票３１のさらに上側には、依頼主控票が具備されており、依頼主が依頼主控票よりボールペン等で必要事項を記入すると、取扱店控票３１、売上票３２、さらに前記配送伝票本体の各帳票に前記記入した事項が複写されるようになっている。
【００１２】
上記のような構成において、前記配送伝票本体の上に少なくとも前記取扱店用の控えとなる取扱店控票３１と、配送業者の控えとなる売上票３２が順次され各帳票の一端部が一条の第１の接着剤層４１、４２、４３、４４を介して綴じ込まれ、前記第１の接着剤層４１、４２、４３、４４に沿って形成された第１の切取りミシン目７１により取扱店控票３１ならびに売上票３２が切取り可能になっており、さらに前記取扱店控票に前記第１の切取りミシン目７１と別の第２の切取りミシン目７２を設け、前記第１の切取りミシン目７１と前記第２の切取りミシン目７２の間に第２の接着剤層５を設けた。これにより取扱店控票３１と売上票３２とが第２の接着剤層５によって繋がっているので、売上票３２を引き抜くことで取扱店控票３１も同時に抜き取られる。  なお、切取りミシン目７０はマージナルパンチ穴６を備えたマージナル部を切離すためのものである。
【図面の簡単な説明】
【００１３】
【図１】図１は本発明による配送伝票の構造を模式的に示す図である。
【図２】図２は本発明による配送伝票を示す平面図である。
【図３】図３は図２のＸ−Ｘ´矢視断面図である。
【符号の説明】
【００１４】
１  配送伝票
３１  取扱店控票
３２  売上票
４１、４２、４３、４４  接着剤層
７０、７１、７２  切取りミシン目
１１  貼付票
１３  配送票
２０  タック紙
【図１】
2005088378.tif 000003
【図２】
2005088378.tif 000004
【図３】
2005088378.tif 000005